(57)【要約】【課題】状況に応じて、利用者が行った操作を有効または無効にすることが可能なリモコン装置を提供する。【解決手段】カラオケ演奏中において、カラオケ歌唱を行う利用者の操作のみを有効とする第１の操作モード、またはカラオケ歌唱を行う利用者以外の利用者の操作のみを有効とする第２の操作モードのいずれかを設定する設定部、カラオケ歌唱を行う利用者の声紋データを取得する声紋データ取得部、カラオケ演奏中にリモコン装置が操作された場合、当該操作を行った利用者の指紋データを取得する指紋データ取得部、声紋データ及び複数の声紋認証用データに基づいて、第１の識別情報を特定し、且つ指紋データ及び複数の指紋認証用データに基づいて、第２の識別情報を特定する特定部、第１の操作モードが設定されている場合、第１の識別情報と第２の識別情報とが一致しないときには操作を無効にし、第２の操作モードが設定されている場合、第１の識別情報と第２の識別情報とが一致するときには操作を無効とする無効処理部、を有するリモコン装置。【選択図】図２
2019191472.tif 000002
【特許請求の範囲】
【請求項１】
カラオケ装置と通信可能なリモコン装置であって、
利用者毎の識別情報に対し、当該利用者毎の声紋認証用データ及び指紋認証用データを関連付けて記憶するデータ記憶部と、
前記カラオケ装置によるカラオケ演奏中において、カラオケ歌唱を行う利用者の操作のみを有効とする第１の操作モード、またはカラオケ歌唱を行う利用者以外の利用者の操作のみを有効とする第２の操作モードのいずれかを設定する設定部と、
カラオケ歌唱を行う利用者の声紋データを取得する声紋データ取得部と、
カラオケ演奏中にリモコン装置が操作された場合、当該操作を行った利用者の指紋データを取得する指紋データ取得部と、
取得した前記声紋データ及び前記データ記憶部に記憶された複数の声紋認証用データに基づいて、第１の識別情報を特定し、且つ取得した前記指紋データ及び前記データ記憶部に記憶された複数の指紋認証用データに基づいて、第２の識別情報を特定する特定部と、
前記第１の操作モードが設定されている場合、前記第１の識別情報と前記第２の識別情報とが一致しないときには前記カラオケ演奏中の操作を無効にし、前記第２の操作モードが設定されている場合、前記第１の識別情報と前記第２の識別情報とが一致するときには前記カラオケ演奏中の操作を無効とする無効処理部と、
を有するリモコン装置。
【請求項２】
前記カラオケ装置を利用する利用者毎に、カラオケ歌唱の予約を行った予約楽曲数を集計する集計部を有し、
前記設定部は、カラオケ歌唱を行う利用者の予約楽曲数が所定数未満のときには前記第１の操作モードに設定し、カラオケ歌唱を行う利用者の予約楽曲数が所定数以上のときには前記第２の操作モードに設定することを特徴とする請求項１記載のリモコン装置。
【請求項３】
前記設定部は、前記カラオケ演奏中において、全ての利用者の操作を有効とする第３の操作モードを設定可能であり、
前記無効処理部は、前記第３の操作モードが設定されている場合、前記第１の識別情報と前記第２の識別情報とが一致するときには所定の操作のみを無効にし、前記第１の識別情報と前記第２の識別情報とが一致しないときには前記所定の操作以外の操作を無効とすることを特徴とする請求項１または２記載のリモコン装置。
【発明の詳細な説明】
【技術分野】
【０００１】
本発明はリモコン装置に関する。
【背景技術】
【０００２】
一般的なカラオケ装置にはリモコン装置が付属している。カラオケ装置とリモコン装置は無線ＬＡＮによって接続されている。カラオケ装置の利用者は、リモコン装置を操作して、カラオケ楽曲の予約やカラオケ演奏のキー調整等を行う。
【０００３】
たとえば、特許文献１には、電子目次本機能を利用して楽曲の予約を行うことが可能なカラオケリモコン装置が開示されている。
【先行技術文献】
【特許文献】
【０００４】
【特許文献１】特開２００９−１６９１２５号公報
【発明の概要】
【発明が解決しようとする課題】
【０００５】
ここで、リモコン装置の操作は、各利用者が任意のタイミングで行うことができる。従って、たとえば、ある利用者がカラオケ歌唱を行っている最中に、他の利用者（カラオケ歌唱を行っていない利用者）がキーやテンポを変える悪戯を行うことが可能である。或いは、複数人でカラオケ歌唱を行う際に、ある一人の利用者がリモコン装置を独占し、連続で楽曲の予約することも可能である。
【０００６】
本発明の目的は、状況に応じて、利用者が行った操作を有効または無効にすることが可能なリモコン装置を提供することにある。
【課題を解決するための手段】
【０００７】
上記目的を達成するための一の発明は、カラオケ装置と通信可能なリモコン装置であって、利用者毎の識別情報に対し、当該利用者毎の声紋認証用データ及び指紋認証用データを関連付けて記憶するデータ記憶部と、前記カラオケ装置によるカラオケ演奏中において、カラオケ歌唱を行う利用者の操作のみを有効とする第１の操作モード、またはカラオケ歌唱を行う利用者以外の利用者の操作のみを有効とする第２の操作モードのいずれかを設定する設定部と、カラオケ歌唱を行う利用者の声紋データを取得する声紋データ取得部と、カラオケ演奏中にリモコン装置が操作された場合、当該操作を行った利用者の指紋データを取得する指紋データ取得部と、取得した前記声紋データ及び前記データ記憶部に記憶された複数の声紋認証用データに基づいて、第１の識別情報を特定し、且つ取得した前記指紋データ及び前記データ記憶部に記憶された複数の指紋認証用データに基づいて、第２の識別情報を特定する特定部と、前記第１の操作モードが設定されている場合、前記第１の識別情報と前記第２の識別情報とが一致しないときには前記カラオケ演奏中の操作を無効にし、前記第２の操作モードが設定されている場合、前記第１の識別情報と前記第２の識別情報とが一致するときには前記カラオケ演奏中の操作を無効とする無効処理部と、を有するリモコン装置である。
本発明の他の特徴については、後述する明細書及び図面の記載により明らかにする。
【発明の効果】
【０００８】
本発明によれば、状況に応じて、利用者が行った操作を有効または無効にすることができる。
【図面の簡単な説明】
【０００９】
【図１】第１実施形態に係るリモコン装置とカラオケ装置の概略を示す図である。
【図２】第１実施形態に係るリモコン装置のハードウェア構成例を示す図である。
【図３】第１実施形態に係るリモコン装置の処理を示すフローチャートである。
【図４】第２実施形態に係るリモコン装置のハードウェア構成例を示す図である。
【図５】第２実施形態に係るリモコン装置の処理を示すフローチャートである。
【発明を実施するための形態】
【００１０】
＜第１実施形態＞
図１〜図３を参照して、第１実施形態に係るリモコン装置１について説明する。
【００１１】
図１は、リモコン装置１及びカラオケ装置２を示した図である。リモコン装置１は、カラオケ装置２に対する各種指示入力をおこなうための装置である。カラオケ装置２は、楽曲のカラオケ演奏、及び利用者がカラオケ歌唱を行うための装置である。リモコン装置１とカラオケ装置２とを予めペアリングしておくことにより、リモコン装置１はカラオケ装置２と通信できる。利用者は、リモコン装置１を操作することにより、カラオケ歌唱を希望する楽曲の選曲（予約）や、楽曲のキーやテンポの変更、或いはカラオケ演奏の音量調整等の指示入力を行うことができる。リモコン装置１は、これらの指示入力に応じた指示コマンドをカラオケ装置２に送信する。カラオケ装置２は、指示コマンドに基づく処理を実行する。
【００１２】
＝＝リモコン装置＝＝
図２はリモコン装置１のハードウェア構成例を示す図である。リモコン装置１は、記憶部１０、通信部１１、表示部１２、操作部１３、集音部１４、及び制御部１５を備える。各構成はインターフェース（図示なし）を介してバスＢに接続されている。
【００１３】
［記憶部］
記憶部１０は、各種のデータを記憶する大容量の記憶装置である。本実施形態における記憶部１０の記憶領域の一部は、データ記憶部１０ａとして機能する。
【００１４】
（データ記憶部）
データ記憶部１０ａは、利用者毎の識別情報に対し、当該利用者毎の声紋認証用データ及び指紋認証用データを関連付けて記憶する。
【００１５】
利用者毎の識別情報は、各利用者を識別するための専用ＩＤ（利用者ＩＤ）である。声紋認証用データは、カラオケ歌唱を行う前に、予め利用者の音声を分析して得られる声紋データである。指紋認証用データは、カラオケ歌唱を行う前に、予め利用者の指紋を分析して得られる指紋データである。声紋認証用データ及び指紋認証用データの取得は公知の手法を用いて行うことができる。
【００１６】
たとえば、利用者Ａは、カラオケ装置２を初めて利用する際に、リモコン装置１（或いは利用者が所有するスマートフォン等の携帯端末）を介して自己の利用者ＩＤやパスワードを登録する。その際、リモコン装置１は、集音部１４を介して入力された利用者Ａの音声から声紋認証用データを取得する。また、リモコン装置１は、操作部１３を介して入力された利用者Ａの指紋から指紋認証用データを取得する。リモコン装置１は、取得した声紋認証用データ及び指紋認証用データを利用者ＩＤと関連付けてデータ記憶部１０ａに記憶させる。なお、リモコン装置１は、取得した声紋認証用データ及び指紋認証用データを利用者ＩＤと関連付けてサーバ装置（図示なし）に送信してもよい。この場合、サーバ装置は、受信した各データを利用者毎に管理しておき、利用者が別の機会にカラオケ装置２を利用する際、リモコン装置１に送信することができる。より具体的には、利用者はカラオケ装置２の利用に際してログイン操作を行う。リモコン装置１は、ここで取得された利用者ＩＤをサーバ装置に送信する。サーバ装置は、受信した利用者ＩＤに関連付けられた声紋認証用データ及び指紋認証用データを記憶装置（図示なし）から読み出してリモコン装置１に送信する。
【００１７】
［通信部・表示部・操作部・集音部］
通信部１１は、リモコン装置１とカラオケ装置２とを接続するためのインターフェースを提供する。表示部１２はカラオケ楽曲の検索画面等、各種表示を行うための構成である。操作部１３は、リモコン装置１に対して各種入力を行うための構成である。本実施形態に係る操作部１３は、表示部１２を用いたタッチパネルである。タッチパネルの画面には、各種操作に応じた複数のアイコンが表示される。集音部１４は、利用者の音声（たとえばカラオケ歌唱を行った際の歌唱音声）を集音するマイクである。
【００１８】
［制御部］
制御部１５は、リモコン装置１における各種の制御を行う。制御部１５は、ＣＰＵおよびメモリ（いずれも図示無し）を備える。ＣＰＵは、メモリに記憶されたプログラムを実行することにより各種の機能を実現する。本実施形態において制御部１５は、設定部１００、声紋データ取得部２００、指紋データ取得部３００、特定部４００、及び無効処理部５００として機能する。
【００１９】
（設定部）
設定部１００は、第１の操作モードまたは第２の操作モードのいずれかを設定する。
【００２０】
第１の操作モードは、カラオケ装置２によるカラオケ演奏中において、カラオケ歌唱を行う利用者の操作のみを有効とするモードである。第２の操作モードは、カラオケ装置２によるカラオケ演奏中において、カラオケ歌唱を行う利用者以外の利用者の操作のみを有効とする第２の操作モードである。
【００２１】
たとえば、利用者Ａがカラオケ歌唱を行っているとする。このとき、第１の操作モードが設定されている場合、リモコン装置１は、利用者Ａの操作のみを有効とする。従って、リモコン装置１は、利用者Ａ以外の利用者（たとえば聴衆である利用者Ｂ及び利用者Ｃ）が操作した場合にはその操作を無効とする。一方、第２の操作モードが設定されている場合、リモコン装置１は、利用者Ａ以外の利用者の操作のみを有効とする。従って、リモコン装置１は、利用者Ａが操作した場合にはその操作を無効とする。操作を無効とする処理の詳細については後述する。
【００２２】
設定部１００は、所定のタイミングでいずれかの操作モードを設定する。たとえば、利用者がカラオケ装置２の利用を開始する際に、設定部１００は、予め決められた操作モードを設定することができる。また、カラオケ装置２の利用を開始する際、利用者がリモコン装置１を介して任意の操作モードを選択することでもよい。この場合、設定部１００は、当該選択に応じて操作モードを設定する。なお、いずれの操作モードが設定されている場合であっても、カラオケ演奏が行われていない場合、リモコン装置１は、全ての利用者の操作を有効とする。従って、利用者は、カラオケ演奏の間に操作モードの切り替えを指示することも可能である。
【００２３】
（声紋データ取得部）
声紋データ取得部２００は、カラオケ歌唱を行う利用者の声紋データを取得する。
【００２４】
たとえば、ある利用者がカラオケ歌唱を行っているとする。この場合、声紋データ取得部２００は、集音部１４で集音したある利用者の歌唱音声を分析し、ある利用者の声紋データを取得する。歌唱音声に基づく声紋データの取得は公知の手法を用いることができる。声紋データ取得部２００は、取得した声紋データを特定部４００に出力する。
【００２５】
なお、声紋データ取得部２００は、集音部１４で歌唱音声を集音する代わりに、カラオケ装置２のマイク（図示なし）で集音した歌唱音声を用いて利用者Ａの声紋データを取得することも可能である。この場合、リモコン装置１は集音部１４を備える必要がない。
【００２６】
（指紋データ取得部）
指紋データ取得部３００は、カラオケ演奏中にリモコン装置１が操作された場合、当該操作を行った利用者の指紋データを取得する。
【００２７】
たとえば、カラオケ演奏に合わせてカラオケ歌唱が行われているとする。その際、ある利用者がリモコン装置１のタッチパネルに表示された、ある操作に対応するアイコンを選択したとする。この場合、指紋データ取得部３００は、タッチパネルを介してある利用者の指紋を取得し、当該指紋を分析することで、ある利用者の指紋データを取得する。タッチパネルで得られた指紋に基づく指紋データの取得は公知の手法を用いることができる。指紋データ取得部３００は、取得した指紋データを特定部４００に出力する。
【００２８】
（特定部）
特定部４００は、取得した声紋データ及びデータ記憶部１０ａに記憶された複数の声紋認証用データに基づいて、第１の識別情報を特定し、且つ取得した指紋データ及びデータ記憶部１０ａに記憶された複数の指紋認証用データに基づいて、第２の識別情報を特定する。
【００２９】
たとえば、利用者Ａがカラオケ歌唱を行い、聴衆として利用者Ｂ及び利用者Ｃがいるとする。そして、カラオケ演奏中に利用者Ａがリモコン装置１を操作してキーを下げようとしたとする。
【００３０】
この場合、特定部４００は、声紋データ取得部２００で取得した声紋データをデータ記憶部１０ａに記憶されている複数の声紋認証用データと比較する。そして、特定部４００は、声紋データ取得部２００で取得した声紋データが利用者Ａの声紋認証用データと一致したことに基づいて、当該声紋認証用データに関連付けられている利用者Ａの利用者ＩＤを第１の識別情報として特定する。
【００３１】
また、特定部４００は、指紋データ取得部３００で取得した指紋データをデータ記憶部１０ａに記憶されている複数の指紋認証用データと比較する。そして、特定部４００は、指紋データ取得部３００で取得した指紋データが利用者Ａの指紋認証用データと一致したことに基づいて、当該指紋認証用データに関連付けられている利用者Ａの利用者ＩＤを第２の識別情報として特定する。特定部４００は、特定した第１の識別情報（利用者Ａの利用者ＩＤ）及び第２の識別情報（利用者Ａの利用者ＩＤ）を無効処理部５００に出力する。
【００３２】
別の例として、利用者Ａのカラオケ歌唱中（カラオケ演奏中）に、利用者Ｂがリモコン装置１を操作してキーを下げようとしたとする。
【００３３】
この場合、特定部４００は、声紋データ取得部２００で取得した声紋データをデータ記憶部１０ａに記憶されている複数の声紋認証用データと比較する。そして、特定部４００は、声紋データ取得部２００で取得した声紋データが利用者Ａの声紋認証用データと一致したことに基づいて、当該声紋認証用データに関連付けられている利用者Ａの利用者ＩＤを第１の識別情報として特定する。
【００３４】
また、特定部４００は、指紋データ取得部３００で取得した指紋データをデータ記憶部１０ａに記憶されている複数の指紋認証用データと比較する。そして、特定部４００は、指紋データ取得部３００で取得した指紋データが利用者Ｂの指紋認証用データと一致したことに基づいて、当該指紋認証用データに関連付けられている利用者Ｂの利用者ＩＤを第２の識別情報として特定する。特定部４００は、特定した第１の識別情報（利用者Ａの利用者ＩＤ）及び第２の識別情報（利用者Ｂの利用者ＩＤ）を無効処理部５００に出力する。
【００３５】
（無効処理部）
無効処理部５００は、第１の操作モードが設定されている場合、第１の識別情報と第２の識別情報とが一致しないときにはカラオケ演奏中の操作を無効にし、第２の操作モードが設定されている場合、第１の識別情報と第２の識別情報とが一致するときにはカラオケ演奏中の操作を無効とする。
【００３６】
たとえば、第１の操作モードが設定されている場合に、特定部４００から第１の識別情報として「利用者Ａの利用者ＩＤ」、第２の識別情報として「利用者Ａの利用者ＩＤ」の出力があったとする。
【００３７】
この場合、第１の識別情報と第２の識別情報とが一致する。すなわち、リモコン装置１の操作を行った利用者はカラオケ歌唱を行っている利用者Ａである。このように、第１の操作モードが設定されている場合に、第１の識別情報と第２の識別情報とが一致するとき、無効処理部５００は、カラオケ演奏中の操作を無効としない。リモコン装置１は、カラオケ装置２に対し、利用者Ａからの操作に基づく指示コマンドを送信する。
【００３８】
一方、第１の操作モードが設定されている場合に、特定部４００から第１の識別情報として「利用者Ａの利用者ＩＤ」、第２の識別情報として「利用者Ｂの利用者ＩＤ」の出力があったとする。
【００３９】
この場合、第１の識別情報と第２の識別情報とが一致しない。すなわち、リモコン装置１の操作を行った利用者は、利用者Ｂであって、カラオケ歌唱を行っている利用者Ａではない。このように、第１の操作モードが設定されている場合に、第１の識別情報と第２の識別情報とが一致しないとき、無効処理部５００はカラオケ演奏中の操作を無効とする。従って、リモコン装置１は、カラオケ装置２に対し、利用者Ｂからの操作に基づく指示コマンドを送信しない。
【００４０】
逆に、第２の操作モードが設定されている場合に、特定部４００から第１の識別情報として「利用者Ａの利用者ＩＤ」、第２の識別情報として「利用者Ａの利用者ＩＤ」の出力があったとする。
【００４１】
この場合、第１の識別情報と第２の識別情報とが一致する。すなわち、リモコン装置１の操作を行った利用者はカラオケ歌唱を行っている利用者Ａである。このように、第２の操作モードが設定されている場合に、第１の識別情報と第２の識別情報とが一致するとき、無効処理部５００は、カラオケ演奏中の操作を無効とする。リモコン装置１は、カラオケ装置２に対し、利用者Ａからの操作に基づく指示コマンドを送信しない。
【００４２】
一方、第２の操作モードが設定されている場合に、特定部４００から第１の識別情報として「利用者Ａの利用者ＩＤ」、第２の識別情報として「利用者Ｂの利用者ＩＤ」の出力があったとする。
【００４３】
この場合、第１の識別情報と第２の識別情報とが一致しない。すなわち、リモコン装置１の操作を行った利用者は、利用者Ｂであって、カラオケ歌唱を行っている利用者Ａではない。このように、第２の操作モードが設定されている場合に、第１の識別情報と第２の識別情報とが一致しないとき、無効処理部５００はカラオケ演奏中の操作を無効としない。従って、リモコン装置１は、カラオケ装置２に対し、利用者Ｂからの操作に基づく指示コマンドを送信する。
【００４４】
＝＝リモコン装置における処理について＝＝
次に、図３を参照して本実施形態に係るリモコン装置１における処理について述べる。図３は、リモコン装置１における処理例を示すフローチャートである。この例では、カラオケ装置２を利用者Ａ、利用者Ｂ及び利用者Ｃの３名で利用する。また、各利用者の声紋認証用データ及び指紋認証用データは、それぞれの利用者ＩＤと関連付けられてデータ記憶部１０ａに記憶されているとする。
【００４５】
各利用者がカラオケ装置２の利用を開始する際、設定部１００は操作モードを設定する。この例では、第１の操作モード（カラオケ演奏中において、カラオケ歌唱を行う利用者の操作のみを有効とするモード）が設定されたとする（第１の操作モードを設定。ステップ１０）。
【００４６】
その後、利用者Ａがカラオケ歌唱を開始したとする。この場合、声紋データ取得部２００は、カラオケ歌唱を行う利用者Ａの声紋データを取得する（声紋データの取得。ステップ１１）。声紋データ取得部２００は、取得した声紋データを特定部４００に出力する。
【００４７】
カラオケ演奏中にリモコン装置１が操作された場合（ステップ１２でＹの場合）、指紋データ取得部３００は、当該操作を行った利用者の指紋データを取得する（指紋データの取得。ステップ１３）。指紋データ取得部３００は、取得した指紋データを特定部４００に出力する。
【００４８】
特定部４００は、ステップ１１で取得した声紋データ及びデータ記憶部１０ａに記憶された複数の声紋認証用データに基づいて、第１の識別情報を特定し、且つステップ１３で取得した指紋データ及びデータ記憶部１０ａに記憶された複数の指紋認証用データに基づいて、第２の識別情報を特定する（第１の識別情報及び第２の識別情報を特定。ステップ１４）。特定部４００は、特定した第１の識別情報及び第２の識別情報を無効処理部５００に出力する。
【００４９】
無効処理部５００は、第１の識別情報及び第２の識別情報が一致するかどうかを判断する。
【００５０】
ここで、この例では第１の操作モードに設定されている（ステップ１０参照）。従って、第１の識別情報と第２の識別情報とが一致する場合（ステップ１５でＹの場合）、無効処理部５００は、カラオケ演奏中の操作を無効としない（リモコン装置の操作を無効としない。ステップ１６）。
【００５１】
一方、第１の識別情報と第２の識別情報とが一致しない場合（ステップ１５でＮの場合）、無効処理部５００は、カラオケ演奏中の操作を無効とする（リモコン装置の操作を無効。ステップ１７）。
【００５２】
リモコン装置１は、カラオケ演奏が終了するまで（ステップ１８でＹの場合）、ステップ１２〜ステップ１７の処理を繰り返す。
【００５３】
このように、本実施形態に係るリモコン装置１は、カラオケ装置２と通信可能である。リモコン装置１は、データ記憶部１０ａ、設定部１００、声紋データ取得部２００、指紋データ取得部３００、特定部４００、及び無効処理部５００を有する。データ記憶部１０ａは、利用者毎の識別情報に対し、当該利用者毎の声紋認証用データ及び指紋認証用データを関連付けて記憶する。設定部１００は、カラオケ装置２によるカラオケ演奏中において、カラオケ歌唱を行う利用者の操作のみを有効とする第１の操作モード、またはカラオケ歌唱を行う利用者以外の利用者の操作のみを有効とする第２の操作モードのいずれかを設定する。声紋データ取得部２００は、カラオケ歌唱を行う利用者の声紋データを取得する。指紋データ取得部３００は、カラオケ演奏中にリモコン装置１が操作された場合、当該操作を行った利用者の指紋データを取得する。特定部４００は、取得した声紋データ及びデータ記憶部１０ａに記憶された複数の声紋認証用データに基づいて、第１の識別情報を特定し、且つ取得した指紋データ及びデータ記憶部１０ａに記憶された複数の指紋認証用データに基づいて、第２の識別情報を特定する。無効処理部５００は、第１の操作モードが設定されている場合、第１の識別情報と第２の識別情報とが一致しないときにはカラオケ演奏中の操作を無効にし、第２の操作モードが設定されている場合、第１の識別情報と第２の識別情報とが一致するときにはカラオケ演奏中の操作を無効とする。
【００５４】
第１の操作モードが設定されている場合に、第１の識別情報と第２の識別情報とが一致しないときは、カラオケ歌唱を行う利用者以外の利用者が、カラオケ歌唱を行う利用者にとって好ましくない操作（悪戯目的のキー変更等）を行おうとしている可能性がある。従って、そのような操作を無効とすることにより、利用者は安心してカラオケ歌唱を楽しむことができる。また、第１の操作モードが設定されている場合であっても、第１の識別情報と第２の識別情報とが一致するときは、無効処理部５００は操作を無効としない。従って、カラオケ歌唱を行う利用者は、キーや音量の変更等を自由に行うことができる。一方、第２の操作モードが設定されている場合に、第１の識別情報と第２の識別情報とが一致するときは、カラオケ歌唱を行う利用者が、カラオケ歌唱を行う利用者以外の利用者にとって好ましくない操作（連続した楽曲予約等）を行おうとしている可能性がある。従って、そのような操作を無効とすることにより、カラオケ歌唱を行う利用者以外の利用者は安心してカラオケ歌唱を行う機会を得ることができる。また、第２の操作モードが設定されている場合であっても、第１の識別情報と第２の識別情報とが一致しないときは、無効処理部５００は操作を無効としない。従って、カラオケ歌唱を行う利用者以外の利用者は、楽曲の予約等を自由に行うことができる。すなわち、本実施形態に係るリモコン装置１によれば、どのような操作モードが設定されているか、カラオケ演奏中に操作を行った利用者は誰かといった状況に応じて、利用者が行った操作を有効または無効にできる。
【００５５】
＜第２実施形態＞
次に、図４及び図５を参照して、第２実施形態に係るリモコン装置１について説明する。本実施形態に係るリモコン装置１は、楽曲の予約状況に応じて、カラオケ歌唱を行う利用者の操作を無効とすることができる。なお、第１実施形態と同様の構成については詳細な説明を省略する。
【００５６】
＝＝リモコン装置＝＝
図４はリモコン装置１のハードウェア構成例を示す図である。本実施形態において制御部１５は、設定部１００、声紋データ取得部２００、指紋データ取得部３００、特定部４００、無効処理部５００、及び集計部６００として機能する。
【００５７】
（集計部）
集計部６００は、カラオケ装置２を利用する利用者毎に、カラオケ歌唱の予約を行った予約楽曲数を集計する。
【００５８】
予約楽曲数は、現時点で予約待ち行列に登録されている楽曲の数である。なお、予約楽曲数は、現在カラオケ歌唱を行っている楽曲の数を含んでもよい。たとえば、利用者Ａが既に楽曲Ｘ１及び楽曲Ｘ２の予約を行っているとする（予約楽曲数：２曲）。ここで、利用者Ａがリモコン装置１を操作し、楽曲Ｘ３の予約操作を行った場合、集計部６００は、利用者Ａの予約楽曲数を１つ増やし、予約楽曲数を「３曲」とする。一方、楽曲Ｘ１のカラオケ演奏が終了した場合、集計部６００は、利用者Ａの予約楽曲数を１つ減らし、「１曲」とする。集計部６００は、集計結果を都度、設定部１００に出力する。なお、予約楽曲数は、現時点で予約待ち行列に登録されている楽曲の数、現在カラオケ歌唱を行っている楽曲の数（１曲）、既にカラオケ歌唱済みの楽曲の数の総和、つまり予約を行った楽曲全ての数でもよい。
【００５９】
（設定部）
本実施形態に係る設定部１００は、カラオケ歌唱を行う利用者の予約楽曲数が所定数未満のときには第１の操作モードに設定し、カラオケ歌唱を行う利用者の予約楽曲数が所定数以上のときには第２の操作モードに設定する。
【００６０】
所定数は、操作モードを切り替えるために参照される値である。所定数は、予め任意の値（たとえば、３曲）を設定しておくことができる。或いは、設定部１００は、予め設けられた複数の値の中から利用者の人数等に応じて一の値を所定数として決定することでもよい。
【００６１】
たとえば、予め第１の操作モードが設定されているとする。また、所定数として「５曲」が設定されているとする。
【００６２】
ここで、利用者Ａが予約した１曲目の楽曲Ｘ１のカラオケ歌唱を行っている際に、利用者Ｂ及び利用者Ｃが歓談しており、特にカラオケ歌唱を行いたい素振りを見せていなかったとする。そこで利用者Ａは、カラオケ演奏中（たとえば間奏中）に、リモコン装置１を介して３曲（楽曲Ｘ２〜楽曲Ｘ４）の楽曲予約の操作を連続して行ったとする。
【００６３】
楽曲予約の操作に応じて実行される指紋データ取得部３００による指紋データの取得、特定部４００による識別情報の特定、及び無効処理部５００による処理は第１実施形態と同様である。この例では第１の操作モードに設定されているため、利用者Ａの操作は無効とならず、楽曲Ｘ２〜楽曲Ｘ４の予約が行われる。
【００６４】
この際、設定部１００は、利用者Ａの予約楽曲数と所定数を比較する。利用者Ａの予約楽曲数は３曲（カラオケ歌唱を行っている楽曲を含める場合には４曲）であり、所定数（５曲）よりも少ない。従って、設定部１００は第１の操作モードを継続する。
【００６５】
一方、利用者Ａが予約した２曲目の楽曲Ｘ２のカラオケ歌唱を開始しても利用者Ｂ及び利用者Ｃが歓談していたため、利用者Ａは、リモコン装置１を介して更に３曲（楽曲Ｘ５〜楽曲Ｘ７）の楽曲予約の操作を連続して行ったとする。
【００６６】
上述の通り、楽曲予約の操作に応じて実行される指紋データ取得部３００による指紋データの取得、特定部４００による識別情報の特定、及び無効処理部５００による処理は第１実施形態と同様である。従って、利用者Ａの操作は無効とならず、楽曲Ｘ５〜楽曲Ｘ７の予約が行われる。
【００６７】
この時点において、利用者Ａの予約楽曲数は５曲であり、所定数（５曲）以上となる。従って、設定部１００は第１の操作モードを切り替え、第２の操作モードを設定する。
【００６８】
＝＝リモコン装置における処理について＝＝
次に、図５を参照して本実施形態に係るリモコン装置１における処理について述べる。図５は、リモコン装置１における処理例を示すフローチャートである。この例では、第１の操作モード（カラオケ演奏中において、カラオケ歌唱を行う利用者Ａの操作のみを有効とするモード）が設定されているとする。
【００６９】
カラオケ装置２は、利用者Ａが予約した楽曲のカラオケ演奏を行う。利用者Ａは、カラオケ演奏に合わせてカラオケ歌唱を開始する（利用者Ａがカラオケ歌唱を開始。ステップ２０）。ここで、利用者Ａが、カラオケ演奏中にリモコン装置１を介し、楽曲の予約を追加する操作を行ったとする（ステップ２１でＹの場合）。この例においては、第１の操作モードが設定されており、且つカラオケ歌唱を行う利用者とリモコン装置１を操作した利用者が一致する。従って、ステップ２１における楽曲の予約追加の操作は無効とならない。
【００７０】
集計部６００は、利用者Ａがカラオケ歌唱の予約を行った予約楽曲数を集計する（予約楽曲数の集計。ステップ２２）。
【００７１】
設定部１００は、ステップ２２で集計された利用者Ａの予約楽曲数と予め設定された所定数との比較を行う。利用者Ａの予約楽曲数が所定数以上の場合（ステップ２３でＹの場合）、設定部１００は、第１の操作モードを切り替え、第２の操作モードを設定する（第２の操作モードを設定。ステップ２４）。
【００７２】
一方、利用者Ａの予約楽曲数が所定数未満の場合（ステップ２３でＮの場合）、設定部１００は、操作モードの切り替えを行わない。
【００７３】
リモコン装置１は、カラオケ演奏が終了するまで（ステップ２５でＹの場合）、ステップ２１〜ステップ２４の処理を繰り返す。
【００７４】
このように、本実施形態に係るリモコン装置１は、カラオケ装置２を利用する利用者毎に、カラオケ歌唱の予約を行った予約楽曲数を集計する集計部６００を有する。また、設定部１００は、カラオケ歌唱を行う利用者の予約楽曲数が所定数未満のときには第１の操作モードに設定し、カラオケ歌唱を行う利用者の予約楽曲数が所定数以上のときには第２の操作モードに設定する。このように予約楽曲数に応じて操作モードを切り替えて設定することにより、特定の利用者のみが連続して楽曲予約を行うといった状況を防止できる。
【００７５】
＜その他＞
リモコン装置１は、上記実施形態で述べた第１の操作モード及び第２の操作モード以外に、第３の操作モードを設定可能であってもよい。第３の操作モードは、カラオケ演奏中において、全ての利用者の操作を有効とするモードである。
【００７６】
ここで、無効処理部５００は、第３の操作モードが設定されている場合、第１の識別情報と第２の識別情報とが一致するときには所定の操作のみを無効にし、第１の識別情報と第２の識別情報とが一致しないときには所定の操作以外の操作を無効とする。
【００７７】
所定の操作は、リモコン装置１で可能な操作のうち、第１の識別情報と第２の識別情報とが一致するときに無効とすべき操作である。所定の操作は予め設定されている。
【００７８】
第１の識別情報と第２の識別情報とが一致する場合、カラオケ歌唱を行う利用者とリモコン装置１の操作を行う利用者とは同一人物である。従って、キーやテンポの変更、音量調整等の操作が行われる可能性がある。一方、楽曲の予約のような操作は、カラオケ歌唱を行う利用者には不要である。そこで、このような「楽曲予約」の操作について、所定の操作として設定する。
【００７９】
この場合、無効処理部５００は、第１の識別情報と第２の識別情報とが一致するときには楽曲予約の操作のみを無効にする。
【００８０】
また、第１の識別情報と第２の識別情報とが一致しない場合、カラオケ歌唱を行う利用者とリモコン装置１の操作を行う利用者とは別人物である。従って、楽曲予約の操作が行われる可能性がある。一方、キーやテンポの変更、音量調整等の操作は、カラオケ歌唱を行う利用者以外の利用者には不要である。
【００８１】
そのため、無効処理部５００は、第１の識別情報と第２の識別情報とが一致しないときには楽曲予約の操作以外の操作（キーやテンポの変更、音量調整等の操作）を無効にする。
【００８２】
このような構成によれば、利用者毎に不要な操作のみを無効とする（必要な操作のみを有効とする）ことができる。すなわち、カラオケ歌唱を行う利用者は、キーやテンポの変更、音量調整等、カラオケ歌唱に関する操作のみが可能となる。一方、カラオケ歌唱を行う利用者は、楽曲の予約のような、カラオケ歌唱と関係ない操作は不可能となる。
【００８３】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８４】
１  リモコン装置
２  カラオケ装置
１０ａ  データ記憶部
１００  設定部
２００  声紋データ取得部
３００  指紋データ取得部
４００  特定部
５００  無効処理部
６００  集計部
【図１】
2019191472.tif 000003
【図２】
2019191472.tif 000004
【図３】
2019191472.tif 000005
【図４】
2019191472.tif 000006
【図５】
2019191472.tif 000007